(57)【要約】【課題】、ランプ交換した後においても点灯累積時間タイマの初期化を安全に行う事ができ、点灯累積時間タイマの初期化誤操作を防止することができる照明装置。【解決手段】累積点灯時間カウンタのリセットは、ランプ電圧検出部のランプ電圧の変化によって行う、または、リモコン送信機からのリセット信号を受信機で送信して行う、または、中央制御装置からの伝送信号によって行う。【選択図】　図１
2004055424.tif 000002
【特許請求の範囲】
【請求項１】
放電ランプを搭載した照明器具と；
照明器具に搭載された放電ランプの点灯累積時間を記憶し、この累積時間に応じて減少する前記ランプの光束を補うように放電ランプの調光度を前記点灯累積時間に応じて調整するように構成した照明制御手段と；
放電ランプの電圧または電流を検出して放電ランプが略新品の放電ランプである事を検出したときに照明制御手段の累積点灯時間をリセットするリセット手段と；
を具備していることを特徴とする照明装置。
【請求項２】
ランプを搭載した照明器具と；
照明器具に搭載されたランプの点灯累積時間を記憶し、この累積時間に応じて減少する前記ランプの光束を補うようにランプの調光度を前記点灯累積時間に応じて調整するように構成した照明制御手段と；
ワイヤレスリモコンによって照明制御手段の累積点灯時間をリセットするリセット手段と；
を具備していることを特徴とする照明装置。
【請求項３】
ランプを搭載した照明器具と；
照明器具に搭載されたランプの点灯累積時間を記憶し、この累積時間に応じて減少する前記ランプの光束を補うようにランプの調光度を前記点灯累積時間に応じて調整するように構成した照明制御手段と；
照明制御手段と伝送信号線で接続され遠隔操作によって照明制御手段の累積点灯時間をリセットするリセット手段と；
を具備していることを特徴とする照明装置。
【発明の詳細な説明】
【０００１】
【発明の属する技術分野】本発明は、ランプの累積点灯時間を参照してランプの光出力がほぼ一定となるように制御する点灯制御手段を備えた照明装置に関する。
【０００２】
【従来の技術】従来、照明制御装置を備えた照明器具においては、照明器具本体側に設置されている点灯装置または制御装置に点灯累積時間をカウントするタイマ機能を保持しており、ランプの点灯累積時間に基づいて調光度を決定し、ランプ光束を補正するように構成したものが知られている。
【０００３】
なお、蛍光ランプの場合、同じランプ入力に対して、光出力が初期の７０％程度に減少した時をランプ寿命末期とし、このランプ寿命末期までの点灯累積時間は、一般的に約１２，０００時間程度とされている。従って、ランプ点灯初期におけるランプ入力を７０％に設定し、点灯累積時間の経過に応じて調光度を漸次増加することにより、ランプ寿命末期に至るまでランプの明るさをほぼ一定となるようにしている。
【０００４】
そこで、特開２０００−２００６９１号公報には、蛍光ランプの交換を行った場合に累積点灯時間のリセットを自ずとされるように蛍光ランプの未接続状態が所定の時間を超えた場合にリセットするリセット手段を備えた蛍光灯点灯装置（従来例１）が開示されている。
【０００５】
【発明が解決しようとする課題】しかしながら、従来例１のような蛍光灯点灯装置では、例えば清掃など場合のように、ランプを新しいものに交換せずに使用中のものを取り付けるように、新しいランプに交換せずにランプをソケットから取り外した場合であっても蛍光灯点灯装置はランプが新しいものに交換されたと判断してしまい、累積点灯時間をリセットさせてしまう。
【０００６】
このように、ランプの交換を行っていないのに、誤って初期化操作をしてしまうと、ランプ光束は低下しているにも拘らず、調光度を低下させてしまうので、光出力が減少して不適切な照明となる難点がある。
【０００７】
また、照明器具は高い天井に取り付けられる事が多く、このため照明器具にリセットスイッチなどを設けて手動で操作することは、作業が煩雑であり危険が伴う。また、特にランプに高圧放電ランプを用いたときには点灯時にはランプが大変高温になるためランプを消灯させる必要がある。このとき、照明装置への電源も遮断してしまうため、初期化作業が適切に行われない虞がある。
【０００８】
そこで、本発明は、点灯累積時間タイマの初期化誤操作を防止することができると共に、照明装置への電力の供給を遮断した場合であっても初期化動作を適切に行う事のできるように構成した照明器具を提供することを目的とする。
【０００９】
【課題を解決するための手段】請求項１の発明の照明装置は、放電ランプを搭載した照明器具と；照明器具に搭載された放電ランプの点灯累積時間を記憶し、この累積時間に応じて減少する前記ランプの光束を補うようにランプの調光度を前記点灯累積時間に応じて調整するように構成した照明制御手段と；放電ランプの電圧または電流を検出して放電ランプが略新品の放電ランプである事を検出したときに照明制御手段の累積点灯時間をリセットするリセット手段と；を具備している
【００１０】
放電ランプは、蛍光ランプのような低圧水銀灯および水銀ランプ、メタルハイドランプおよび高圧ナトリウムランプのような高圧放電ランプを含んでいる。このような放電ランプは、点灯時間が経過するとともにランプ電圧が増加する傾向にある。このため、放電ランプを交換したときは、ランプ電圧がその前後で減少している。このランプ電圧のリセット手段で検出して、累積点灯時間をリセットする。
【００１１】
本発明によれば、ランプ交換を行うことのみで累積点灯時間のリセットが可能となり、交換作業が簡易となり、さらにランプ交換とともに累積点灯時間のリセットが行われるため、確実にリセット動作が行われるため、初期化操作の誤りがなく適切な照度を維持した調光動作を行う事ができる。
【００１２】
請求項２の発明の照明装置は、ランプを搭載した照明器具と；照明器具に搭載されたランプの点灯累積時間を記憶し、この累積時間に応じて減少する前記ランプの光束を補うようにランプの調光度を前記点灯累積時間に応じて調整するように構成した照明制御手段と；ワイヤレスリモコンによって照明制御手段の累積点灯時間をリセットするリセット手段と；を具備している。
【００１３】
本発明によれば特に、ランプ交換時にランプを消灯させなければならない高圧放電ランプのような場合は、照明制御手段に供給されている電力を遮断することがある。このため、照明制御手段に電力が供給されていない場合には、従来例１のようにランプが未接続に時間を計測する事も、さらにはランプ交換とともに照明器具に取り付けられるリセットスイッチを操作することもできない。このためランプ交換の後、照明制御手段に電源が供給されてから、ワイヤレスリモコンで操作する事によってリセットスイッチを行う事により、安全に簡易にリセット操作を行う事ができるものである。
【００１４】
請求項３の発明の照明装置は、ランプを搭載した照明器具と；照明器具に搭載されたランプの点灯累積時間を記憶し、この累積時間に応じて減少する前記ランプの光束を補うようにランプの調光度を前記点灯累積時間に応じて調整するように構成した照明制御手段と；照明制御手段と伝送信号線で接続され遠隔操作によって照明制御手段の累積点灯時間をリセットするリセット手段と；を具備している。
【００１５】
本発明によれば、伝送信号線に接続されたリセット手段によって遠隔操作ができるので、安全に簡易にリセット操作ができる。また、リセット手段を中央制御装置に配置することもできる。このとき、中央制御装置には多数の照明装置が接続されて制御することができ、多数の照明装置に対して、ランプの交換時期を把握する事も可能でありランプ交換などのメンテナンスがしやすくなる。
【００１６】
【発明の実施の形態】本発明の照明装置の第一の実施形態を図を参照して説明する。図１は、照明装置の概略を示すブロック図である。
【００１７】
電源１と直列にスイッチ２が取り付けられており、点灯回路３への電力の供給を行っている。点灯回路３には制御部４および累積点灯時間カウンタ５が取り付けられ、累積点灯時間カウンタ５によってカウントされた累積点灯時間によって、点灯回路３に取り付けられた放電ランプ６のランプ光束の低下を推定してそれを補うように調光度を決定しこの調光度に基づいて制御部４は点灯回路３を調光して点灯させるように制御を行う。累積点灯時間カウンタ５は不揮発性メモリであって、電力が供給されなくとも累積点灯時間のカウンタは保持する事ができる。
【００１８】
なお、この調光度の決定は制御部４によって所定の演算式を用いて演算により行ってもよいし、あるいは調光度に関するデータを予めテーブル化して設定しこのテーブルを参照して調光度を決定してもよい。さらにランプの種類によって累積点灯時間によるランプの調光度は異なる場合は、それらのランプの種類によった調光度をテーブル化して、ランプの種類によって制御部によって調光度を制御させる事が可能である。さらにまた、放電ランプは寿命によってランプ電圧が上昇する事が知られている。この特性を利用してランプ電圧によって調光度を決定する事も許容する。
【００１９】
さらに点灯回路３と放電ランプ６の間には、ランプ電圧検出部７が接続されランプ両端にかかるランプ電圧を検出する。さらに、ランプ電圧検出部７にはリセット部８が接続され、ランプ電圧検出部７が所定の電圧を検出したらリセット手段８によって累積点灯時間カウンタ５をリセットさせる動作を行う。
【００２０】
本実施形態の動作について説明する。スイッチ２によって点灯回路３に電力が供給されると放電ランプ３が点灯し、累積点灯時間カウンタのカウントによって所定の調光度になるように制御部は調光動作を行う。そうして、ランプ電圧検出部は、ランプ電圧を検出しランプの点灯状態を確認している。そうしてランプ電圧が所定の範囲内であれば、正常点灯状態であると判別して累積点灯時間カウンタのカウンタを増加させている。
【００２１】
次にランプを交換した場合について説明する。ランプを交換する際には、安全のためスイッチ２をオフにしてランプ交換の作業を行う。ランプ交換作業が終了した後にスイッチをオンにして点灯回路に電力を供給するとランプを点灯させる。このときランプ電圧検出部はランプ電圧の検出を行うと、放電ランプのランプ電圧は寿命によってランプ電圧が上昇するためランプが新品に交換された場合には、ランプ電圧は低い電圧を検出する。このランプ電圧の変化を検出する事によってリセット部は累積点灯時間カウンタのカウントのリセットを行う。
【００２２】
本実施形態によれば、ランプ交換を行うことのみで累積点灯時間のリセットが可能となり、交換作業が簡易となり、さらにランプ交換とともに累積点灯時間のリセットが行われるため、確実にリセット動作が行われるため、初期化操作の誤りがなく適切な照度を維持した調光動作を行う事ができる。
【００２３】
次に本発明の照明装置の第二の実施形態を図を参照して説明する。図２は、本実施形態の照明装置の概略を示すブロック図である。なお図１と同一部分については同一符号を付する事により説明を省略する。
【００２４】
本実施形態は、リセット部にリモコン受信部を接続し、リモコン受信部に対応する送信部を備えている。
【００２５】
本実施形態のリセット動作を説明する。ランプ交換が終了した後、累積点灯時間カウンタのリセットをリモコン送信機によってリセット信号を発信させ、リセット信号を受け取ったリモコン受信部からリセット部に累積点灯時間カウンタのリセット動作を指示しているものである。
【００２６】
本実施形態によれば、特に、ランプ交換時にランプを消灯させなければならない高圧放電ランプのような場合は、照明制御手段に供給されている電力を遮断することがある。このためランプ交換の後、照明制御手段に電源が供給されてから、ワイヤレスリモコンで操作する事によってリセットスイッチを行う事により、安全に簡易にリセット操作を行う事ができるものである。さらに、複数の照明器具のランプ交換を行う場合、ランプ交換時の高所作業が終了した後、作業者が高所に残る必要がなく、安全な場所から照明装置に電源を供給させてリモコン送信機によってリセット作業を行う事ができランプ交換作業が安全となる。
【００２７】
次に本発明の照明装置の第三の実施形態を図を参照して説明する。図３は、本実施形態の照明装置の概略を示すブロック図である。なお図１、図２と同一部分については同一符号を付する事により説明を省略する。
【００２８】
本実施形態は、リセット部に伝送線から接続された中央制御装置を備えている。
【００２９】
本実施形態のリセット動作を説明する。ランプ交換が終了した後、累積点灯時間カウンタのリセットをリモコン送信機によってリセット信号を発信させ、リセット信号を受け取ったリモコン受信部からリセット部に累積点灯時間カウンタのリセット動作を指示しているものである。
【００３０】
本実施形態によれば、特に、ランプ交換時にランプを消灯させなければならない高圧放電ランプのような場合は、点灯回路に供給されている電力を遮断することがある。このためランプ交換の後、点灯回路に電力が供給されてから、中央制御装置から伝送線により伝送信号を伝達してリセット動作を行う事により、安全に簡易にリセット操作を行う事ができるものである。さらに、複数の照明器具のランプ交換を行う場合、ランプ交換時の高所作業が終了した後、作業者が高所に残る必要がなく、安全な場所から照明装置に電源を供給させてリセット作業を行う事ができランプ交換作業が安全となる。また、複数の照明装置が接続されているときは、ランプ交換の時期を中央制御装置で把握する事も可能であるためメンテナンスがしやすい照明装置を提供する事ができる。
【００３１】
【発明の効果】請求項１の発明によれば、ランプ交換を行うことのみで累積点灯時間のリセットが可能となり、交換作業が簡易となり、さらにランプ交換とともに累積点灯時間のリセットが行われるため、確実にリセット動作が行われるため、初期化操作の誤りがなく適切な照度を維持した調光動作を行う事ができる。
【００３２】
請求項２の発明によれば特に、ランプ交換時にランプを消灯させなければならない高圧放電ランプのような場合は、照明制御手段に供給されている電力を遮断することがある。このため、照明制御手段に電力が供給されていない場合には、従来例１のようにランプが未接続に時間を計測する事も、さらにはランプ交換とともに照明器具に取り付けられるリセットスイッチを操作することもできない。このためランプ交換の後、照明制御手段に電源が供給されてから、ワイヤレスリモコンで操作する事によってリセットスイッチを行う事により、安全に簡易にリセット操作を行う事ができるものである。
【００３３】
請求項３の発明によれば、伝送信号線に接続されたリセット手段によって遠隔操作ができるので、安全に簡易にリセット操作ができる。また、リセット手段を中央制御装置に配置することもできる。このとき、中央制御装置には多数の照明装置が接続されて制御することができ、多数の照明装置に対して、ランプの交換時期を把握する事も可能でありランプ交換などのメンテナンスがしやすくなる。
【図面の簡単な説明】
【図１】本発明の第１の実施形態の照明装置の概略ブロック図。
【図２】本発明の第２の実施形態の照明装置の概略ブロック図。
【図３】本発明の第３の実施形態の照明装置の概略ブロック図。
【符号の説明】
１…電源、３・・・点灯回路、４・・・制御部、５・・・・累積点灯時間カウンタ、６・・・ランプ（照明器具、８・・・リセット手段
【図１】
2004055424.tif 000003
【図２】
2004055424.tif 000004
【図３】
2004055424.tif 000005